(57)【要約】      （修正有）【課題】高速記録時であっても、各線速に応じて半導体発光素子の点滅追従が可能で適正な記録動作を行える記録ストラテジを提供する。【解決手段】相対的に高い記録パワー光と相対的に低いバイアスパワー光との点滅パターンによるパルス光を照射する記録ストラテジとして、記録マークの長さＮに対して、或る標準線速に対する記録時の線速spdに応じて、Ｍ＝１＋（Ｎ−３）／Ｎmp（Ｎmpは整数），Ｎmp＝Ｔld／Ｔm＋１，Ｔm＝Ｔ／spd＊（spd／spd max＊ａ＋ｂ），ただし、Ｔld：半導体発光素子の点滅に要する最短時間［ns］，spd max：対象となる記録媒体に設定されている或る標準線速に対する最高記録線速ａ，ｂ：記録媒体の材料に依存する定数なる関係を満たす記録パワー光のパルス数Ｍ（Ｍは整数）を設定して記録を行うようにした。【選択図】図１
2005085346.tif 000002
【特許請求の範囲】
【請求項１】
記録マークの時間的長さが或る標準線速における基本クロック周期Ｔ［ns］のＮ倍（Ｎは自然数）なるＮＴで表されるマーク長記録方式により情報を記録媒体に対して記録する情報記録方法において、
相対的に高い記録パワー光と相対的に低いバイアスパワー光との点滅パターンによるパルス光を照射する記録ストラテジとして、記録マークの長さＮに対して、或る標準線速に対する記録時の線速spdに応じて、
Ｍ＝１＋（Ｎ−３）／Ｎmp（Ｎmpは整数）
Ｎmp＝Ｔld／Ｔm＋１
Ｔm＝Ｔ／spd＊（spd／spd max＊ａ＋ｂ）
ただし、
Ｔld：半導体発光素子の点滅に要する最短時間［ns］
spd max：対象となる記録媒体に設定されている或る標準線速に対する最高記録線速
ａ，ｂ：記録媒体の材料に依存する定数
なる関係を満たす記録パワー光のパルス数Ｍ（Ｍは整数）を設定して記録を行うようにしたことを特徴とする情報記録方法。
【請求項２】
最短時間Ｔldは、２［ns］以上６［ns］以下である、ことを特徴とする請求項１記載の情報記録方法。
【請求項３】
前記記録媒体の記録層は、３元以上の元素を含む相変化型の記録材料により構成され、定数ａが０．２以上０．４以下、定数ｂが０．２以上０．４以下である、ことを特徴とする請求項１又は２記載の情報記録方法。
【請求項４】
線速spd又はspd maxに関する情報を対象となる前記記録媒体のプリフォーマット情報中から取得する、ことを特徴とする請求項１ないし３の何れか一記の情報記録方法。
【請求項５】
前記記録媒体に対して複数の記録線速spdにより記録するときには、記録時の線速spdを最高記録線速spd maxとして算出された記録パワー光のパルス数Ｍを全ての記録線速spdでの記録に適用するようにした、ことを特徴とする請求項１ないし４の何れか一記載の情報記録方法。
【請求項６】
記録に用いる前記半導体発光素子が、レーザダイオードである、ことを特徴とする請求項１ないし５の何れか一記載の情報記録方法。
【請求項７】
記録マークの時間的長さが或る標準線速における基本クロック周期Ｔ［ns］のＮ倍（Ｎは自然数）なるＮＴで表されるマーク長記録方式により情報を記録媒体に対して記録する情報記録装置において、
前記記録媒体を回転させる回転駆動機構と、
前記記録媒体に対して照射する光を発する半導体発光素子と、
この半導体発光素子を発光させる光源駆動手段と、
前記半導体発光素子が発する光ビームの発光波形に関する記録ストラテジが設定されて前記光源駆動手段を制御する発光波形制御手段と、
を備え、
前記発光波形制御手段は、相対的に高い記録パワー光と相対的に低いバイアスパワー光との点滅パターンによるパルス光を照射する記録ストラテジとして、記録マークの長さＮに対して、或る標準線速に対する記録時の線速spdに応じて、
Ｍ＝１＋（Ｎ−３）／Ｎmp（Ｎmpは整数）
Ｎmp＝Ｔld／Ｔm＋１
Ｔm＝Ｔ／spd＊（spd／spd max＊ａ＋ｂ）
ただし、
Ｔld：半導体発光素子の点滅に要する最短時間［ns］
spd max：対象となる記録媒体に設定されている或る標準線速に対する最高記録線速
ａ，ｂ：記録媒体の材料に依存する定数
なる関係を満たす記録パワー光のパルス数Ｍ（Ｍは整数）を設定する、
ようにしたことを特徴とする情報記録装置。
【請求項８】
最短時間Ｔldは、２［ns］以上６［ns］以下である、ことを特徴とする請求項７記載の情報記録装置。
【請求項９】
前記記録媒体の記録層は、３元以上の元素を含む相変化型の記録材料により構成され、定数ａが０．２以上０．４以下、定数ｂが０．２以上０．４以下である、ことを特徴とする請求項７又は８記載の情報記録装置。
【請求項１０】
前記発光波形制御手段は、線速spd又はspd maxに関する情報を対象となる前記記録媒体のプリフォーマット情報中から取得する、ことを特徴とする請求項７ないし９の何れか一記の情報記録装置。
【請求項１１】
前記発光波形制御手段は、前記記録媒体に対して複数の記録線速spdにより記録するときには、記録時の線速spdを最高記録線速spd maxとして算出された記録パワー光のパルス数Ｍを全ての記録線速spdでの記録に適用するようにした、ことを特徴とする請求項７ないし１０の何れか一記載の情報記録装置。
【請求項１２】
前記半導体発光素子が、レーザダイオードである、ことを特徴とする請求項７ないし１１の何れか一記載の情報記録装置。
【発明の詳細な説明】
【技術分野】
【０００１】
本発明は、相変化型の記録材料により記録層が形成された光ディスクのような記録可能な記録媒体に対する情報記録方法及び情報記録装置に関する。
【背景技術】
【０００２】
現在最も普及している相変化型光記録媒体であるＤＶＤ−ＲＷ，ＤＶＤ＋ＲＷ，ＣＤ−ＲＷ等に対する記録ストラテジとしては、マルチパルス化された複数の発光パルスにより構成されている。ここに、記録線速が低いとき、マルチパルスとしては基本クロック周期Ｔ毎に１回点滅する記録ストラテジを用いるのが一般的である。しかし、ＤＶＤの４倍速を超えるような高速記録時には、記録線速が速くなると基本クロック周期Ｔの時間が短くなり点滅に要する時間が追いつかなくなってしまう。そのため、例えば、２回の基本クロック周期Ｔ毎に光源の点滅を行わせることによりマルチパルス部の発光時間を長くする方法が提案されている（例えば、特許文献１〜３参照、他多数あり）。
【０００３】
【特許文献１】特開２００２−２３７０５１公報
【特許文献２】特開２００２−２８８８３７公報
【特許文献３】特開２００１−３３１９３６公報
【発明の開示】
【発明が解決しようとする課題】
【０００４】
ところが、近年では、ＤＶＤの８倍速、１２倍速等の如く、より一層高速な記録線速での記録が進んでおり、特許文献１〜３に示されるような対応策だけでは、記録線速に合った記録動作とならない場合があり、不十分であり、改善の余地がある。
【０００５】
即ち、書換え可能な相変化型の記録媒体は照射光のパターン（記録ストラテジ）を用いて記録媒体内の記録層を徐冷又は急冷を行うことにより信号を記録しており、従来は、基本的に、記録マーク長に比例し照射光の点滅回数（＝記録パルス数）を増加させているものであるが、レーザダイオードのような半導体発光素子を用いて照射光を発生させる場合、照射光の点滅にかかる最低時間が有るため、高速記録時の場合、記録マーク長に対して記録パルス数を減らした記録ストラテジを用いる必要がある。
【０００６】
本発明の目的は、高速記録時であっても、各線速に応じて半導体発光素子の点滅追従が可能で適正な記録動作を行える記録ストラテジを提供することである。
【課題を解決するための手段】
【０００７】
請求項１記載の発明は、記録マークの時間的長さが或る標準線速における基本クロック周期Ｔ［ns］のＮ倍（Ｎは自然数）なるＮＴで表されるマーク長記録方式により情報を記録媒体に対して記録する情報記録方法において、相対的に高い記録パワー光と相対的に低いバイアスパワー光との点滅パターンによるパルス光を照射する記録ストラテジとして、記録マークの長さＮに対して、或る標準線速に対する記録時の線速spdに応じて、
Ｍ＝１＋（Ｎ−３）／Ｎmp（Ｎmpは整数）
Ｎmp＝Ｔld／Ｔm＋１
Ｔm＝Ｔ／spd＊（spd／spd max＊ａ＋ｂ）
ただし、
Ｔld：半導体発光素子の点滅に要する最短時間［ns］
spd max：対象となる記録媒体に設定されている或る標準線速に対する最高記録線速
ａ，ｂ：記録媒体の材料に依存する定数
なる関係を満たす記録パワー光のパルス数Ｍ（Ｍは整数）を設定して記録を行うようにした。
【０００８】
請求項２記載の発明は、請求項１記載の情報記録方法において、最短時間Ｔldは、２［ns］以上６［ns］以下である。
【０００９】
請求項３記載の発明は、請求項１又は２記載の情報記録方法において、前記記録媒体の記録層は、３元以上の元素を含む相変化型の記録材料により構成され、定数ａが０．２以上０．４以下、定数ｂが０．２以上０．４以下である。
【００１０】
請求項４記載の発明は、請求項１ないし３の何れか一記載の情報記録方法において、線速spd又はspd maxに関する情報を対象となる前記記録媒体のプリフォーマット情報中から取得する。
【００１１】
請求項５記載の発明は、請求項１ないし４の何れか一記載の情報記録方法において、前記記録媒体に対して複数の記録線速spdにより記録するときには、記録時の線速spdを最高記録線速spd maxとして算出された記録パワー光のパルス数Ｍを全ての記録線速spdでの記録に適用するようにした。
【００１２】
請求項６記載の発明は、請求項１ないし５の何れか一記載の情報記録方法において、記録に用いる前記半導体発光素子が、レーザダイオードである。
【００１３】
請求項７記載の発明は、記録マークの時間的長さが或る標準線速における基本クロック周期Ｔ［ns］のＮ倍（Ｎは自然数）なるＮＴで表されるマーク長記録方式により情報を記録媒体に対して記録する情報記録装置において、前記記録媒体を回転させる回転駆動機構と、前記記録媒体に対して照射する光を発する半導体発光素子と、この半導体発光素子を発光させる光源駆動手段と、前記半導体発光素子が発する光ビームの発光波形に関する記録ストラテジが設定されて前記光源駆動手段を制御する発光波形制御手段と、を備え、前記発光波形制御手段は、相対的に高い記録パワー光と相対的に低いバイアスパワー光との点滅パターンによるパルス光を照射する記録ストラテジとして、記録マークの長さＮに対して、或る標準線速に対する記録時の線速spdに応じて、
Ｍ＝１＋（Ｎ−３）／Ｎmp（Ｎmpは整数）
Ｎmp＝Ｔld／Ｔm＋１
Ｔm＝Ｔ／spd＊（spd／spd max＊ａ＋ｂ）
ただし、
Ｔld：半導体発光素子の点滅に要する最短時間［ns］
spd max：対象となる記録媒体に設定されている或る標準線速に対する最高記録線速
ａ，ｂ：記録媒体の材料に依存する定数
なる関係を満たす記録パワー光のパルス数Ｍ（Ｍは整数）を設定する。
【００１４】
請求項８記載の発明は、請求項７記載の情報記録装置において、最短時間Ｔldは、２［ns］以上６［ns］以下である。
【００１５】
請求項９記載の発明は、請求項７又は８記載の情報記録装置において、前記記録媒体の記録層は、３元以上の元素を含む相変化型の記録材料により構成され、定数ａが０．２以上０．４以下、定数ｂが０．２以上０．４以下である。
【００１６】
請求項１０記載の発明は、請求項７ないし９の何れか一記載の情報記録装置において、前記発光波形制御手段は、線速spd又はspd maxに関する情報を対象となる前記記録媒体のプリフォーマット情報中から取得する。
【００１７】
請求項１１記載の発明は、請求項７ないし１０の何れか一記載の情報記録装置において、前記発光波形制御手段は、前記記録媒体に対して複数の記録線速spdにより記録するときには、記録時の線速spdを最高記録線速spd maxとして算出された記録パワー光のパルス数Ｍを全ての記録線速spdでの記録に適用するようにした。
【００１８】
請求項１２記載の発明は、請求項７ないし１１の何れか一記載の情報記録装置において、前記半導体発光素子が、レーザダイオードである。
【発明の効果】
【００１９】
本発明によれば、記録マークの長さＮと記録パルス数Ｍとの関係を線速spdに応じて適正化したので、高速記録時であっても、各線速に応じて半導体発光素子の点滅追従が可能で適正な記録動作を行える記録ストラテジを用いた記録方法や記録装置を提供することができる。
【００２０】
特に、その半導体発光素子の点滅に要する最短時間Ｔldの適応範囲を規定することにより、半導体発光素子として一般的なレーザダイオードを用いた場合の適正な記録パルス数を算出することができる。
【００２１】
また、記録媒体の記録材料に依存する定数ａ，ｂの値の適正範囲を規定したので、高速記録に適した相変化記録媒体に対する適正な記録パルス数を算出することができる。
【００２２】
また、ＣＡＶ記録のように記録媒体面内で記録線速spdが変動する記録方式においても、記録品質の面内変動を抑えることができる。
【発明を実施するための最良の形態】
【００２３】
本発明を実施するための最良の形態について図面に基づいて説明する。本実施の形態では、記録媒体として書換え記録可能なＤＶＤ±ＲＷ，ＣＤ−ＲＷ等の相変化型記録媒体への適用例を示す。図１は、記録媒体１として、例えば、ＤＶＤ＋ＲＷの層構成を示す原理的断面図である。この記録媒体１は、透明な基板１ａ上に下部保護層１ｂ、記録層１ｃ、上部保護層１ｄ、反射層１ｅ、オーバーコート層１ｆ、接着層１ｇ及びダミー基板１ｈを順に積層させた構造とされている。ここに、記録層１ｃには３元以上の元素を含む相変化型の材料により構成されている。本実施の形態では、特に、その一例として、ＧｅＳｂＳｎ系相変化型材料が用いられている。このような記録材料を用いた記録媒体１は、高速記録においても記録感度が良好であり、優れた記録特性を示す。このような記録媒体１は、図２に示すような情報記録装置によって情報の記録再生が行われる。
【００２４】
図２は、ＤＶＤ対応の情報記録装置（光ディスク装置）について、その要部構成の一例を示す機能ブロック図である。図において、１は記録媒体、２はスピンドルモータ、３は光ピックアップ、４はモータドライバ、５はリードアンプ、６はサーボ手段、７はＤＶＤデコーダ、８はＡＤＩＰデコーダ、９はレーザコントローラ、１０はＤＶＤエンコーダ、１１はＤＶＤ−ＲＯＭエンコーダ、１２はバッファＲＡＭ、１３はバッファマネージャ、１４はＤＶＤ−ＲＯＭデコーダ、１５はＡＴＡＰＩ／ＳＣＳＩインターフェース、１６はＤ／Ａコンバータ、１７はＲＯＭ、１８はＣＰＵ、１９はＲＡＭ、２０はパルスジェネレータを示し、LBはレーザ光、Audioはオーディオ出力信号を示す。
【００２５】
この図２において、矢印はデータが主に流れる方向を示しており、また、図を簡略化するために、図２の各ブロックを制御するＣＰＵ１８には、太線のみを付けて各ブロックとの接続を省略している。ＲＯＭ１７には、ＣＰＵ１８にて解読可能なコードで記述された制御プログラムが格納されている。なお、当該情報記録装置の電源がオン状態になると、前記プログラムは不図示のメインメモリにロードされ、ＣＰＵ１８はそのプログラムに従って上記各部の動作を制御するとともに、制御に必要なデータ等を一時的にＲＡＭ１９に保存する。
【００２６】
当該情報記録装置の構成及び動作は、次の通りである。記録媒体１は、回転機構としてのスピンドルモータ２によって回転駆動される。このスピンドルモータ２は、モータドライバ４とサーボ手段６により、線速度（ＣＬＶ方式）又は角速度（ＣＡＶ方式）が一定になるように制御される。この線速度又は角速度は、階段的に変更することが可能である。光ピックアップ３は、図示しないレーザダイオード（半導体発光素子）、光学系、フォーカスアクチュエータ、トラックアクチュエータ、受光素子及びポジションセンサを内蔵しており、レーザ光ＬＢを記録媒体１に照射する。また、この光ピックアップ３は、シークモータによってスレッジ方向への移動が可能である。これらのフォーカスアクチュエータ、トラックアクチュエータ、シークモータは、受光素子とポジションセンサから得られる信号に基づいて、モータドライバ４とサーボ手段６とにより、レーザ光ＬＢのスポットが記録媒体１上の目的の場所に位置するように制御される。
【００２７】
そして、リード時には、光ピックアップ３によって得られた再生信号が、リードアンプ５で増幅されて２値化される。リードアンプ５内では主に最長信号振幅を規格化する過程と記録マーク信号を増幅する波形等価機能を経て２値化される。入力された２値化データは、このＤＶＤデコーダ７において、８／１６復調される。なお、記録データは、８ビットずつまとめられて変調（８／１６変調）されており、この変調では、８ビットを１６ビットに変換している。この場合に、結合ビットは、それまでの「１」と「０」の数が平均的に等しくなるように付けられる。これを「ＤＣ成分の抑制」といい、ＤＣカットされた再生信号のスライスレベル変動が抑圧される。
【００２８】
復調されたデータは、デインターリーブとエラー訂正の処理が行われる。その後、このデータは、ＤＶＤ−ＲＯＭデコーダ１４へ入力され、データの信頼性を高めるために、さらに、エラー訂正の処理が行われる。このように２回のエラー訂正の処理が行われたデータは、バッファマネージャ１３によって一旦バッファＲＡＭ１２に蓄えられ、セクタデータとして揃った状態で、ＡＴＡＰＩ／ＳＣＳＩインターフェース１５を介して、図示しないホストコンピュータへ一気に転送される。なお、音楽データの場合には、ＤＶＤデコーダ７から出力されたデータが、Ｄ／Ａコンバータ１６へ入力され、アナログのオーディオ出力信号Ａｕｄｉｏとして取り出される。
【００２９】
また、ライト時には、ＡＴＡＰＩ／ＳＣＳＩインターフェース１５を通して、ホストコンピュータから送られてきたデータは、バッファマネージャ１３によって一旦バッファＲＡＭ１２に蓄えられる。その後、ライト動作が開始されるが、この場合には、その前にレーザスポットを書き込み開始地点に位置させる必要がある。この地点は、ＤＶＤ＋ＲＷ／＋Ｒでは、予め記録媒体１上にトラックの蛇行により刻まれているウォブル信号によって求められる。
【００３０】
なお、上記地点はＤＶＤ−ＲＷ／−Ｒではウォブル信号の代わりにランドプリピット、ＤＶＤ−ＲＡＭ／ＲＡＭ・ＷＯではプリピットによって求められる。
【００３１】
ＤＶＤ＋ＲＷ／＋Ｒなる記録媒体１におけるウォブル信号には、ＡＤＩＰ（ADress In Pre-groove）と呼ばれるアドレス情報が含まれており、この情報が、ＡＤＩＰデコーダ８によって取り出される。また、このＡＤＩＰデコーダ８によって生成される同期信号は、ＤＶＤエンコーダ１０へ入力され、記録媒体１上の正確な位置へのデータの書込みを可能にしている。バッファＲＡＭ１２のデータは、ＤＶＤ−ＲＯＭエンコーダ１１やＤＶＤエンコーダ１０において、エラー訂正コードの付加や、インターリーブが行われ記録用の信号として８／１６変換される。記録用に変調された信号はパルスジェネレータ２０において記録媒体１に適した記録光波形に変換され、レーザコントローラ９、光ピックアップ３を介して、記録媒体１に記録される。光ピックアップ３の効率の補正には記録光の回折光を直接に受光素子により測定し、そのパワー変動によりレーザコントローラ９の記録パワーを変更することが可能である。記録媒体１に対する記録パワーの補正方法として記録後発光時の反射光の変動から、記録媒体１に対する記録パワーの効率を測定しレーザコントローラ９の記録パワーを補正することが可能である。また、本実施の形態の場合、記録波形と記録パワーの補正方法であるため、アドレスの制御方法はランドプリピットやプリピットからアドレス情報を得る構成であっても良い。
【００３２】
図３はこの情報記録装置（光ディスク装置）を備えるＰＣ等の情報処理装置の概略図である。当該情報処理装置は、主制御装置２１、インターフェース２２、記録装置（ＨＤＤ）２３、入力装置２４及び表示装置２５などを備えている。主制御装置２１は、マイクロコンピュータ、メインメモリ（何れも不図示）などを含んで構成され、ホスト全体を制御する。インターフェース２２は、情報記録装置２６との双方向の通信インターフェースであり、ＡＴＡＰＩ及びＳＣＳＩ等の標準インターフェースに準拠している。インターフェース２２は情報記録装置２６のインターフェース１５と接続されている。なお、各インターフェース１５，２２間の接続形態は、通信ケーブル（例えばＳＣＳＩケーブル）などの通信線を用いたケーブル接続だけでなく、赤外線などを利用したワイヤレス接続であっても良い。
【００３３】
記録装置（ハード記録媒体ＨＤＤ）２３には、主制御装置２１のマイクロコンピュータで解読可能なコードで記述されたプログラムが格納されている。なお、当該情報処理装置の駆動電源がオン状態になると、上記プログラムは主制御装置２１のメインメモリにロードされる。表示装置２５は、例えばＣＲＴ、液晶ディスプレイ（ＬＣＤ）及びプラズマディスプレイパネル（ＰＤＰ）などの表示部（図示省略）を備え、主制御装置２１からの各種情報を表示する。入力装置２４は、例えばキーボード、マウス及びポインティングデバイスなどのうち少なくとも１つの入力媒体（図示省略）を備え、ユーザから入力された各種情報を主制御装置２１に通知する。なお、入力媒体からの情報はワイヤレス方式で入力されても良い。また、表示装置２５と入力装置２４とが一体化したものとして、例えばタッチパネル付きＣＲＴなどがある。
【００３４】
また、情報処理装置はオペレーティングシステム（以下「ＯＳ」という）を搭載している。そして、情報処理装置を構成する全てのデバイスはＯＳによって管理されているものとする。
【００３５】
次に、前述したような相変化型の記録媒体１に対する記録時に用いられる記録ストラテジの基本形を図４に示す。この場合の記録ストラテジは、記録マークの時間的長さが或る標準線速における基本クロック周期Ｔ［ns］のＮ倍（Ｎは自然数）なるＮＴで表されるマーク長記録方式により情報を記録媒体１に対して記録するものであり、相対的に高い記録パワーＰｗ光と相対的に低いバイアスパワーＰｂ光との点滅パターンによるパルス光を照射し、スペース部分は中間の消去パワーＰｅ光の連続光を照射する記録ストラテジとされている（図示例は、一例として、記録マーク長７Ｔの場合の波形例を示している）。ここに、複数の記録パワー光は、最初のフロントパルス部と、最後のラストパルス部と、これらのフロントパルス部・ラストパルス部間のマルチパルスとからなる。
【００３６】
ここに、このような記録ストラテジに関して、本実施の形態では、基本クロック周期ＴのＮ倍（Ｎは自然数）の長さの記録マークを記録するときに必要なフロントパルス部及びマルチパルス部及びラストパルス部の発光パルス数（記録パルス数）をＭとしたとき、記録時の線速度に応じて、当該Ｍを長さＮとの関連において、以下に示す（１）式により算出するようにしたものである。このとき、パルス数Ｍは算出された値を整数化した値とする。この（１）式中の第１項目は最少記録マークに必要なパルスの数（結果的にフロントパルス部に相当する）であり、ＤＶＤ±ＲＷでは、Ｎ＝３の場合であり、“１”となる。第２項目はマルチパルス部とラストパルス部として発光可能なパルス数を算出する部分である。このとき、（１）式で用いられるＮmpは以下に示す（２）式により算出される。（２）式で示されるこのＮmpは、半導体発光素子であるレーザダイオードの点滅に要する最短時間Ｔldに対するマルチパルス部とラストパルス部とに必要な発光時間の比率である。このＮmpの値は、小数点以下を切上げた整数値として算出する。最短時間Ｔldは、本実施の形態の如く、一般的なレーザダイオードを用いる場合であれば、２［ns］以上６［ns］以下とすることが望ましい。整数値とする理由は、記録マークの数（長さＮ）とパルスの数Ｍとを整数Ｎmpの逆数の比例定数を持つ関係にすることで記録ストラテジの調整方法を簡便化することができるためである。マルチパルス部に必要な発光時間Ｔｍは以下に示す（３）式によって導き出す。このとき、Ｔは前述したように、各々の記録媒体１における或る標準線速における基本クロック周期であり、本実施の形態のようなＤＶＤ系の記録媒体１において、基本クロック周期Ｔはおよそ３８．２［ns］である。（３）式中、spd，spd_maxは、標準線速に対する記録線速の比率であり、前者のspdは実際に記録する時の記録線速、後者のspd_maxは当該記録媒体１に設定されている最高記録線速である。このspd_maxは、対象となる記録媒体１の標準として規定されているもの、若しくは、対象となる記録媒体１自身に基板情報として予めプリフォーマットされて規定されているものを用いるのが好適である。また、（３）式中、a，bは当該記録媒体１の記録層１ｃの材料、層構成により決定される定数である。現在一般的な相変化記録媒体であるＣＤ−ＲＷ，ＤＶＤ±ＲＷでは記録層１ｃが３元以上の元素で構成されており、設定されている記録ストラテジから算出される好適な定数ａの値は０．２以上０．４以下、定数bの値は０．２以上０．４以下である。さらに好適には、aの値は０．２５以上０．３５以下、ｂの値は０．２５以上０．３５以下である。さらに、対象となる記録媒体１自身にプリフォーマットされた情報から媒体メーカ名、媒体のタイプ、バージョンなどを読み取り適宜変更するとさらに好適である。
【００３７】
Ｍ＝１＋（Ｎ−３）／Ｎmp（Ｎmpは整数）    …………………（１）
Ｎmp＝Ｔld／Ｔm＋１                        …………………（２）
Ｔm＝Ｔ／spd＊（spd／spd max＊ａ＋ｂ）   …………………（３）
ただし、
Ｔld：半導体発光素子の点滅に要する最短時間［ns］
spd max：対象となる記録媒体に設定されている或る標準線速に対する最高記録線速
ａ，ｂ：記録媒体の材料に依存する定数
また、複数の記録線速で記録可能な記録媒体に関しては、その最高記録線速spd maxで導出した記録パルス数Ｍを全ての線速spdにおいて用いることで、CAV記録のように記録媒体面内で記録線速が変動する記録方法においても、同一のパルス数Ｍで記録することが可能となり、ストラテジの面内変更を容易にし記録品質の面内変動を抑えることが可能となる。さらに、CAV記録において用いるためには、少なくとも最外周の記録線速＝最高記録線速spd maxにより算出した記録パルス数Ｍを最内周の記録線速以上で用いるだけでよい。
【００３８】
本実施の形態では、ＡＤＩＰデコーダ８によって取り出された記録媒体１にプリフォーマットされた情報を基に当該記録媒体１の種類及び最適な記録方法を取得する過程及び該取得した情報を基に上述した計算式（１）〜（４）により記録パルス数Ｍを算出する過程及び記録する情報をレーザダイオードの発光信号に変換するパルスジェネレータ20において当該算出された記録パルス数Ｍで発光信号に変換する過程により校正される.
【実施例】
【００３９】
本発明では、ＤＶＤ＋ＲＷフォーマットを用いた実施例により本発明の効果を確認した。ちなみに、本発明の情報記録装置は対象となる記録媒体１の基板情報として既に設定してある定数ａ，ｂを用いて各線速時の記録パルス数Ｍを自動算出できるものであるが、本実施例では各パラメータを元に手動で記録パルス数Ｍを算出し記録を行うものとする。この情報記録装置としてはパルステック社製DDU1000を用い、ジッター特性は横河電機社製ＴＡ520を用いて測定した。再生信号の最大値及び振幅値及び最大記録マークと最小記録マークの振幅中心値の測定はＲＦ信号から各信号レベルをTektronix社製オシロスコープを用いて測定し算出した。
【００４０】
以下、実施例を基に本発明の効果を述べる。
【００４１】
表１に各実施例１〜３で用いた各パラメータＴ，spd，spd max，Ｔld，ａ，ｂ，Ｔmp，Ｎmpの値を示す。実施例１は最高線速spd max＝８ｘの記録媒体にspd ＝４ｘの記録を行った例を示し、実施例２は最高線速spd max＝８ｘの記録媒体にspd ＝８ｘの記録を行った例を示し、実施例３は最高線速spd max＝１２ｘの記録媒体にspd ＝１２ｘの記録を行った例を示している。何れの実施例でもＤＶＤフォーマットの記録媒体１を用いているため基本クロック周期ＴはＴ＝３８．２３［ns］とした。また、情報記録装置のレーザドライバの発光の立上り時間と立下り時間からＴldは４［ns］と設定した。記録媒体１の特性から定数ａ＝０．３、ｂ＝０．３と設定した。
【００４２】
【表１】
2005085346.tif 000003
【００４３】
以上の設定から算出された記録パルス数Ｍを表2に示す。
【００４４】
【表２】
2005085346.tif 000004
【００４５】
表３は算出された記録パルス数Ｍを元に記録ストラテジを調整して記録した記録信号のジッター値である。なお、実施例４は最高線速spd max＝８ｘの記録媒体に関してspd ＝４ｘの記録時についても最高線速spd max＝８ｘで算出した記録パルス数Ｍを用いて記録した例である。各実施例ともジッター値が１１％以下なる良好な記録品質を実現できたものである。
【００４６】
【表３】
2005085346.tif 000005
【図面の簡単な説明】
【００４７】
【図１】本発明の実施の形態に適用される記録媒体の層構成を示す原理的断面図である。
【図２】情報記録装置について、その要部構成の一例を示す機能ブロック図である。
【図３】情報記録装置を備える情報処理装置の概略図である。
【図４】相変化型の記録媒体に対する記録時に用いられる記録ストラテジの基本形を示す波形図である。
【符号の説明】
【００４８】
１      記録媒体
２      回転駆動機構
９      光源駆動手段
１８，２０      発光波形制御手段
【図１】
2005085346.tif 000006
【図２】
2005085346.tif 000007
【図３】
2005085346.tif 000008
【図４】
2005085346.tif 000009